(57)【特許請求の範囲】
【請求項１】
手持工具機械、殊に蓄電池ハンマドリル及び又は蓄電池打撃ハンマであって、機械ケーシング（１２）内に取り付けられた、蓄電池で駆動可能な駆動電動機（１３）を備え、電気的なエネルギを前記駆動電動機（１３）に供給するための電池構造ユニット（１１）が前記機械ケーシング（１２）に取り付け可能であり、該電池構造ユニット（１１）を前記機械ケーシング（１２）に取り付けるために案内手段（３３）が設けられかつ前記電池構造ユニット（１１）を前記機械ケーシング（１２）にロックするためにロック手段（４４）が設けられており、前記案内手段（３３）として前記機械ケーシング（１２）に配置された少なくとも１つの案内条片（３４）が形成されており、該案内条片（３４）が前記電池構造ユニット（１１）の電池ケーシング（１１ａ）に配置された案内溝（３５）に係合させられる形式のものにおいて、前記ロック手段（４４）として前記機械ケーシング（１２）からスライド可能に突出しかつその係止位置の方向へばね負荷された少なくとも１つの係止鼻（４６）が設けられており、前記電池構造ユニット（１１）に、該電池構造ユニット（１１）の挿入方向で相前後して配置された少なくとも２つの係止突起（４７）が設けられており、該係止突起（４７）が前記電池構造ユニット（１１）をロックするために、該電池構造ユニット（１１）の挿入方向で、前記係止鼻（４６）の背後に係合できるように構成されており、前記電池構造ユニット（１１）が運転位置にある場合には、前記係止鼻（４６）が前記電池構造ユニット（１１）の挿入方向で後方にある第１の係止突起（４７）の背後に係合しかつ当該手持工具機械と前記電池構造ユニット（１１）との接触部（３９，４０）を電気的に接続し、前記電池構造ユニット（１１）が運転位置から離された場合には、前記係止鼻（４６）が前記電池構造ユニット（１１）の挿入方向で前方にある第２の係止突起（４７）の背後に係合しかつ前記接触部（３９，４０）が離されていることを特徴とする、手持工具機械。
【請求項２】
前記案内条片（３４）が、当該手持工具機械のハンドグリップ（１９）の前方に該手持工具機械の長手方向軸線（２７）に対しほぼ垂直に位置しかつ端部側にて結合ウェブ（３０）を介して前記ハンドグリップ（１９）の端部（１９ａ）と結合されてた前記機械ケーシング（１２）のケーシング区分（２９）に前記電池構造ユニット（１１）の挿入方向に構成されている、請求項１記載の手持工具機械。
【請求項３】
前記案内条片（３４ａ，ｂ）がウェブ（５３ａ，ｂ）を介して前記ケーシング区分（２９）に結合されかつ互いに間隔をおいて向かい合っている、請求項２記載の手持工具機械。
【請求項４】
機械側に２つの係止鼻（４６ａ，ｂ）が設けられており、該係止鼻（４６ａ，ｂ）が１つのスライダ（４５）の２つの脚部（５２ａ，ｂ）の端部側に構成されており、前記スライダ（４５）が前記結合ウェブ（３０）内にてばね（４９）の力に抗して移動可能に配置されておりかつ前記ばね（４９）によって、取付け可能な前記電池構造ユニット（１１）に向かって負荷されている、請求項２又は３記載の手持工具機械。
【請求項５】
前記機械ケーシング（１２）が２つのケーシングシェル（１２ａ，ｂ）から構成されており、該ケーシングシェル（１２ａ，ｂ）が前記ケーシング区分（２９）に配置されたそれぞれ１つの窓（４８ａ，ｂ）を、前記脚部（５２ａ，ｂ）を貫通させるために有しており、第１のケーシングシェル（１２ｂ）に構成された前記第１の窓（４８ｂ）が四方の閉じた枠（８０ｂ）を有し、第２のケーシングシェル（１２ａ）に設けられた前記第２の窓（４８ａ）が一方の側で開いた枠（８０ａ）を有し、該枠（８０ａ）が第２のケーシングシェル（１２ａ）に切欠かれた、ケーシングシェル分割平面（５０）に向かって開いたスリット（７８）によって形成されており、第１のケーシングシェル（１２ｂ）に舌状板（７９）が一体成形されており、該舌状板（７９）が前記ケーシングシェル分割平面（５０）を超えて突出しており、前記ケーシングシェル（１２ａ，ｂ）が組み合わされた場合に前記スリット（７８）に係合しかつその自由端部（７９ａ）で前記枠（８０ａ）を四方の閉じた枠となるように補完する、請求項４記載の手持工具機械。
【請求項６】
手持工具機械、殊に蓄電池ハンマドリル及び又は蓄電池打撃ハンマのための電池構造ユニット（１１）であって、再充電可能な電池を受容するために役立つ電池ケーシング（１１ａ）を備えており、手持工具機械に当該電池構造ユニット（１１）を取り付けるために、当該電池構造ユニット（１１）の電池ケーシング（１１ａ）に少なくとも１つの案内溝（３５）が配置されている形式のものにおいて、手持工具機械に当該電池構造ユニット（１１）をロックするために前記電池ケーシング（１１ａ）に、当該電池構造ユニットの挿入方向で相前後して配置された少なくとも２つの係止突起（４７）が形成されているように構成されており、前記電池構造ユニット（１１）が運転位置にある場合には、前記係止鼻（４６）が前記電池構造ユニット（１１）の挿入方向で後方にある第１の係止突起（４７）の背後に係合しかつ当該手持工具機械と前記電池構造ユニット（１１）との接触部（３９，４０）を電気的に接続し、前記電池構造ユニット（１１）が運転位置から離された場合には、前記係止鼻（４６）が前記電池構造ユニット（１１）の挿入方向で前方にある第２の係止突起（４７）の背後に係合しかつ前記接触部（３９，４０）が離されていることを特徴とする、電池構造ユニット。
【請求項７】
前記電池ケーシング（１１ａ）の互いに向き合って位置するケーシング側面（６７，６８）に、該電池ケーシング（１１ａ）のケーシング背面の近くに配置された２つの案内溝（３５ａ，３５ｂ）が設けられている、請求項６記載の電池構造ユニット。
【請求項８】
手持工具機械に存在する２つの係止鼻（４６）のために４つの係止突起（４７）が設けられており、それぞれ２つの係止突起（４７）が係止条片（７１，７２）として、前記電池ケーシング（１１ａ）のケーシング背面（６４）に互いに平行に配置された当該電池構造ユニット（１１）の挿入方向に延びる２つのロック溝（６９，７０）の１つに相前後して配置されている、請求項６記載の電池構造ユニット。
【請求項９】
手持工具機械、殊に蓄電池ハンマドリル及び又は蓄電池打撃ハンマであって、該手持工具機械に取り付けられかつ再充電可能な電池を受容するために構成された電池ケーシング（１１ａ）を備えた電池構造ユニット（１１）と、当該手持工具機械の、機械ケーシング（１２）内に取り付けられ、電池で運転可能な駆動電動機（１３）とを有しており、電気的な駆動エネルギを前記駆動電動機（１３）に供給する前記電池構造ユニット（１１）が前記機械ケーシング（１２）に取り付けられており、該電池構造ユニット（１１）を前記機械ケーシング（１２）に取り付けるために案内手段（３３）が設けられかつ該電池構造ユニット（１１）を前記機械ケーシング（１２）にロックするためにロック手段（４４）が設けられており、前記案内手段（３３）として、前記機械ケーシング（１２）に配置された少なくとも１つの案内条片（３４）が構成されており、該案内条片（３４）が前記電池構造ユニット（１１）の前記電池ケーシング（１１ａ）に配置された案内溝（３５）内に、前記電池構造ユニット（１１）の挿入方向で係合する形式のものにおいて、前記ロック手段（４４）として前記機械ケーシング（１２）からスライド可能に突出しかつその係止位置の方向へばね負荷された少なくとも１つの係止鼻（４６）が設けられており、前記電池構造ユニット（１１）に、該電池構造ユニット（１１）の挿入方向に相前後して配置された少なくとも２つの係止突起（４７）が設けられており、該係止突起（４７）が前記電池構造ユニット（１１）を前記機械ケーシング（１２）にロックするために、該電池構造ユニット（１１）の挿入方向で、前記係止鼻（４６）の背後に係合できるように構成されており、前記電池構造ユニット（１１）が運転位置にある場合には、前記係止鼻（４６）が前記電池構造ユニット（１１）の挿入方向で後方にある第１の係止突起（４７）の背後に係合しかつ当該手持工具機械と前記電池構造ユニット（１１）との接触部（３９，４０）を電気的に接続し、前記電池構造ユニット（１１）が運転位置から離された場合には、前記係止鼻（４６）が前記電池構造ユニット（１１）の挿入方向で前方にある第２の係止突起（４７）の背後に係合しかつ前記接触部（３９，４０）が離されていることを特徴とする、手持工具機械。
【発明の詳細な説明】
【０００１】
【発明の属する技術分野】
本発明は、請求項１の上位概念に基づく手持工具機械及び請求項６の上位概念に基づく電池構造ユニット並びに該電池構造ユニットを備えた請求項１０の上位概念に基づく手持工具機械に関する。
【０００２】
【従来の技術】
解離可能に取り付けられる電池構造ユニットを備えた手持工具機械は既に公知であり（ドイツ国特許第３５０２４４９号明細書）、この電池構造ユニットは、網電流によって運転される手持工具機械に属していて、電池運転される装置に適合しうるようにだけ構成された部分及び構造グループから主として成っている。手持工具機械の電池構造ユニットの取り付けは、機械ケーシングの下方に配置されて電池構造ユニットの案内スリット内に挿入されているブラケットを用いて行われている。この場合には、電池構造ユニットがロック位置に到達する直前ではじめて電池ケーシングの案内が、終端側で手持工具機械のハンドグリップに配置されている案内ケーシングによって行われる。案内ケーシングはむき出しの配置であるため比較的損傷を受け易い。このような場合には電池構造ユニットがもはや充分には案内されないようになり、その結果、とりわけ接触が良好に行われないようになる。
【０００３】
【発明が解決しようとする課題】
本発明の課題は、正確に嵌合して故障の発生するおそれのない案内部が得られるようにすることである。
【０００４】
【課題を解決するための手段】
本発明の課題は請求項１に記載した手持工具機械及び請求項６に記載した電池構造ユニット及び請求項１０記載の手持工具機械によって解決された。
【０００５】
本発明による案内部は電池構造ユニット及び機械ケーシングに統合されており、従って付加的な部分が不必要である。電池構造ユニットは、機械ケーシングに容易に取り付けかつ機械ケーシングから取り外し可能であり、しかも運転に伴う汚染又はダストが存在する場合でも問題なくロック可能である。
【０００６】
上記以外の請求項に記載された手段によっては、本発明に基づく手持工具機械乃至は本発明に基づく電池構造ユニットの有利な別の構成が可能である。
【０００７】
電池構造ユニットが、機械ケーシングに取り付けられるようになっているのにかかわらず、手持工具機械が２シェル状に構成されていると特に有利である。それは、これによって手持工具機械を容易に組み立てることができるからである。
【０００８】
【実施例】
本発明の実施例を図面に図示し、次にこれを詳しく説明する。
【０００９】
図１には、符号１０で表されたハンマドリルが、任意の手持工具機械の実施例として、該手持工具機械に取り付けられた電池構造ユニット１１の電池ケーシング１１ａと共に図示されている。このハンマドリル１０は機械ケーシング１２を有し、とりわけ機械ケーシング１２内には電池動力の供給される駆動電動機１３が取り付けられている。この駆動電動機１３は、図示されていない伝動装置を介して、部分的に機械ケーシング１２から突出している駆動スピンドル１４を回転駆動するために用いられている。更にハンマドリル１０の工具受容部１５内に挿入された工具１６が駆動電動機１３によって、同じ様に詳細には図示されていない打撃機構を介して付加的に打撃駆動される。
【００１０】
機械ケーシング１２は、図１の図平面内に位置する分割平面５０によって２シェル状に構成されている（図２）。工具受容部１５とは反対側のハンマドリル１０の端部においてはハンドグリップ１９が、機械ケーシング１２に１体成形されている。このハンドグリップ１９は、ほぼピストルグリップ状に成形されていて、押圧引金２１を備えたスイッチ２０を有している。工具受容部１５の近くで機械ケーシング１２が緊締首部２２を形成し、該緊締首部２２には補助ハンドグリップ２３が固定可能である。
【００１１】
後方のハンドグリップ１９と前方の補助ハンドグリップ２３との間で機械ケーシング１２は電池ケーシング１１ａを受容し得るように構成されている。このため電池ケーシング１１ａには、ハンマドリル１０の長手方向軸線２７に対し横方向に延びる案内面２６（図５も参照のこと）と、該案内面２６に対し垂直にハンマドリル１０の下側に位置するストッパ面２８（図２も参照のこと）とが形成されている。案内面２６はハンドグリップ１９の前方に位置するケーシング区分２９に形成されており、該ケーシング区分２９は、駆動電動機１３とは反対側の下方端部において結合ウエブ３０を介しハンドグリップ１９の下方端部１９ａに結合されている。ハンドグリップ１９とケーシング区分２９と結合ウエブ３０との間には、操作マンによって押圧引金２１を作動させかつハンマドリル１０を不動に保持するためのグリップ貫通口３１が設けられている。
【００１２】
電池ケーシング１１ａを保持するためには案内手段３３が設けられており、該案内手段３３は、機械ケーシング１２において互いに間隔を置いて向い合って、案内面２６から離隔した２つの案内条片３４（図５も参照のこと）と、該案内条片３４に係止するための、電池ケーシング１１ａ内に形成された対応する２つの案内溝３５（図３も参照のこと）とを有している。電池ケーシング１１ａの案内溝３５が上方に向って開放されている（図３を参照のこと）ので電池ケーシング１１ａは、下方から案内条片３４を案内溝３５内に挿入することによって、電池ケーシング１１ａの上面がストッパ面２８に当接するように、機械ケーシング１２に取り付け可能である。電池ケーシング１１ａのこのロック位置において、電池ケーシング１１ａ内に取付けられた再充電可能な電池と導電的に接触している接触面３９は、機械ケーシング１２内の接触受容部４１から突出している接触ばね４０と導電的に接触させられる。
【００１３】
機械ケーシング１２への電池ケーシング１１ａの取付けを簡単に行うことができるように、案内条片３４ａ，３４ｂは、案内面２６と結合ウエブ３０との間で結合された縁部４２から約１０ｍｍだけ後方にずらされている。案内溝３５は機械側の端部に向って拡幅されているので、先ず電池ケーシング１１ａを背面６４によって案内面２６に当接させ、その後で案内条片３４を案内溝３５内に挿入させることができる。この挿入を簡単に行うことができるように、案内条片３４及び案内溝３５が挿入傾斜部３６，３７を有している。更に案内条片３４と案内溝３５との間の遊びは挿入通路の端部ではじめて縮小されるようになっている。この場合には案内条片３４及び案内溝３５は挿入傾斜部３６，３７とは反対側の内方端部において遊びが小さくなるように拡幅又は縮幅させられている。図１には案内条片３４の拡幅部５４及び案内溝３５の縮幅部５５が図示されており、これらによって、機械ケーシング１２における電池ケーシング１１ａのほぼ遊びなしの着座がロック位置で保証されており、しかも機械ケーシング１２への電池ケーシング１１ａの取り付けは、特に案内手段３３が汚染されている場合でも、困難なく行なうことができるようになっている。
【００１４】
機械ケーシング１２に電池ケーシング１１ａをロックするためには、ロック手段４４が設けられており、該ロック手段４４は、結合ウエブ３０内で電池ケーシング１１ａの挿入方向に対し垂直にスライド可能に受容されているスライダ４５を有しており、該スライダ４５は、係止鼻部４６によって機械ケーシング１２の案内面２６から突き出ていて、電池ケーシング１１ａに形成された係止突起部４７と協働している。スライダ４５は係止位置の方向にばね４９によって負荷されており、該ばね４９は他方で機械ケーシング１２に支えられている。このばね４９は、端部側でスライダ４５に配置された係止鼻部４６を、対応する窓４８ａ，４８ｂを貫いて機械ケーシング１２から外方に押圧しており、それによって係止鼻部４６が、電池ケーシング１１ａのロック位置において係止突起４７に背後から形状接続的に係合しうるようになっている。図１では、スライダ４５が引き戻された位置で図示されている、つまり電池ケーシング１１ａのロックは解除されている。
【００１５】
図２には、機械ケーシング１２の下側が電池ケーシング１１ａなしの状態で図示されている。この図２においては、２つのシェル１２ａ，１２ｂから構成された機械ケーシング１２の分割平面５０が認められる。更に機械ケーシング１２に１体成形された緊締首部２２が認められ、機械ケーシング１２の反対側の端部にはハンドグリップ１９が認められる。ハンドグリップ１９からは結合ウエブ３０が延びており、該結合ウエブ３０は、ケーシング区分２９に向かってほぼＶ字状に拡幅されていて、スライダ４５のための作動窓５１を有している。スライダ４５は部分的に破線で示唆されており、それによってそのフォーク状の形状が認知可能である。スライダ４５の２つの脚部５２ａ，５２ｂの自由端部には、それぞれ１つの係止鼻部４６ａ，４６ｂが形成されている。この係止鼻部４６ａ，４６ｂは、機械ケーシング１２の案内面２ｂを超えて外方に突き出ていて、挿入方向で滑動できるように係止突起４７には傾斜部４３が設けられている。つまりスライダ４５は、電池ケーシング１１ａを取り付ける際係止突起４７において鼻部４６ａ，４６ｂが後方から係止突起４７に係合するようになるまで、ばね４９の力に抗して押し戻される。
【００１６】
更に両案内条片３４ａ，３４ｂが認められるが、これらはウエブ５３ａ，５３ｂに１体成形されていて、内方に向かって相互に向かい合って位置している。案内面２６からの案内条片３４ａ，３４ｂの間隔に基づいて案内条片３４は、側方で電池ケーシング１１ａ内に配置されて外方に向かって開放されている案内溝３５ａ，３５ｂ内に押し込まれる。
【００１７】
案内面２６に対して垂直に延びるストッパ面２８は部分的に方形の形状を有しており、その際前方端面５６は外方に向かって湾曲している。接触受容部４１からは、半径方向で側方に向かって配向された補強リブ５７が延びている。この補強リブ５７は、機械ケーシング１２が組み立てられた状態で、接触受容部４１内に電池ケーシング１１ａを挿入するための漏斗状の挿入開口部を形成しており、それによって接触部３９，４０が相互に精確に案内されるようになっている。ストッパ面２８は側方と前方に、下方に向かって突出した縁部６０を有している。機械ケーシング１２におけるウエブ５８は、電池ケーシング１１ａの縁部条片５９と共に、電池ケーシング１１ａのストッパ面２６に対する電池ケーシング１１ａのためのストッパとして役立っている。このためウエブ５８は、電池ケーシング１１ａの上側３８に当接している。縁部条片５９は、電池ケーシング１１ａが側方に変位した場合に縁部６０において電池ケーシング１１ａを側方で支持する。縁部６０は縁部面６１に対し約１ｍｍ幅の接合部を形成している。縁部６０を電池ケーシング１１ａの上面３８内に、かつウエブ５８を縁部条片５９に対し、それぞれ交互に突入させることによって、電池ケーシング１１ａが付加的に支持されるようになり、このため案内手段３３にかかる負荷は、側方の衝撃負荷が発生した場合に軽減されるようになっている。
【００１８】
図３には電池ケーシング１１ａが詳細に図示されており、該電池ケーシング１１ａは６つの外方面の内の２つの外方面が機械ケーシング１２に当て付けられている。これらの外方面は、上面３８、前面６５、背面６４、側面６７，６８及び底面によって形成されている。前方面６５は、外方に向かって湾曲していて、間隔を置いて相互に延びるグリップリブ６６を有している。電池ケーシング１１ａの前面６５の湾曲部は２０ｍｍより大きな曲率半径、有利には約４０ｍｍの曲率半径を有している。このような形式で電池ケーシング１１ａの前面６５は、電池ケーシング１１ａが機械ケーシング１２に取り付けられた場合には、補助ハンドグリップ２３の代わりに別のグリップ面として役立つようになっている。
【００１９】
電池ケーシング１１ａの側面６７，６８内においては、背面６４の近くに、案内溝３５ａ，３５ｂが外方に向かって開放されて成形されている。更に背面６４には２つの平行な案内溝６９，７０が設けられており、該案内溝６９，７０内には、電池ケーシング１１ａを機械ケーシング１２に取り付ける際、水平方向に配向された係止鼻部４６ａ，４６ｂが突入できるようになっている。ロック溝６９，７０は、係止突起４７を形成して挿入方向にずらされている２つの横方向リブ７１，７２によってそれぞれ中断されており、該横方向リブ７１，７２は、それぞれ挿入方向に傾斜部４３に対応しているランプ形状の挿入傾斜部７３と、別の側で垂直に起立する係止面７４とを有している。ロック溝６９，７０毎に２つの係止突起４７を配置することによって、電池ケーシング１１ａが外れることに対する安全性が高められる。横方向リブ７２に係止鼻部４６が背後から係合している運転位置から、電池ケーシング１１ａが外れた場合には、電池ケーシング１１ａは最大で第２の横方向リブ７１にまで移動させられ、それで接触部３９，４０が分離されるようになっている。
【００２０】
図４にはロック位置におけるロック手段４４が図示されている。電池ケーシング１１ａの背面側には、ロック溝６９，７０内に形成されている係止突起４７が横方向リブ７１，７２と共に明瞭に認められる。この係止突起４７は挿入側に挿入傾斜部７３を有し、かつロック側で係止面７４を形成している。この係止面には、ロックのためにスライダ４５の係止鼻部４６が背後から係合する。
【００２１】
図５には、電池ケーシング１１ａを備えていない案内面２６を前方からみた機械ケーシングが図示されている。図５においては、外方に配置されて互いに向かい合って位置している２つの案内条片３４ａ，３４ｂが認められる。機械ケーシング１２ａは、ケーシングシェル１２ａ，１２ｂを形成し乍ら分割平面５０に沿って分割されている。スライダ４５を両脚部５２を用い窓４８を貫通して組み立てることができるようにするために、分割平面５０は窓４０の領域において、第１ケーシングシェル１２ｂ内に形成された第１窓４８ｂがリング状に閉じた枠８０ｂを有し、かつ第２ケーシングシェル１２ａに設けられた第２窓４８ａが一方の側で開放された枠８０ａを有するように構成されている。この枠８０ａは、第２ケーシングシェル１２ａにおいて切り欠かれた、分割平面５０に対し開放されているスリット７８によって形成されている。第１ケーシングシェル１２ｂには舌状板７９が１体成形されており、該舌状板７９は、分割平面５０を超えて突き出ており、かつケーシングシェル１２ａ，１２ｂが組み付けられた場合にはスリット７８に係合して、その自由端部７９によって枠８０ａをリング状に閉じた枠に補完している。このような形式で両脚部５２を備えたスライダ４５を、既に機械ケーシング１２が組み立てられる前に、第１ケーシングシェル１２ｂ内に組み付けることができる。
【図面の簡単な説明】
【図１】電池構造ユニットが取り付けられた手持工具機械の縦断面図である。
【図２】電池構造ユニットを備えていない状態で手持工具機械を下方から見た図である。
【図３】電池構造ユニットの斜視図である。
【図４】電池構造ユニットが取り付けられた手持工具機械の部分断面図である。
【図５】手持工具機械を前方からみた部分図である。
【符号の説明】
１０  ハンマドリル、  １１  電池構造ユニット、  １１ａ  電池ケーシング、  １２  機械ケーシング、  １２ａ，１２ｂ  ケーシングシェル、  １３  駆動電動機、  １４  駆動スピンドル、  １５  工具受容部、  １９  ハンドグリップ、  １９ａ  端部、  ２０  スイッチ、  ２１  押圧引金、  ２２  緊締首部、  ２３  補助ハンドグリップ、  ２６  案内面、  ２８  ストッパ面、  ２９  ケーシング区分、  ３０  結合ウエブ、  ３１  グリップ貫通口、  ３３  案内手段、  ３４，３４ａ，３４ｂ  案内条片、  ３５，３５ａ，３５ｂ  案内溝、  ３６，３７  挿入傾斜部、  ３８  上面、  ３９  接触面、  ４０  接触ばね、  ４１  接触受容部、  ４２  縁部、  ４３  傾斜部、  ４４  ロック手段、  ４５  スライダ、  ４６ａ，４６ｂ  係止鼻部、  ４７  係止突起、  ４８ａ，４８ｂ  窓、  ４９  ばね、  ５０  分割平面、  ５１  作動窓、  ５２ａ，５２ｂ  脚部、  ５３ａ，５３ｂ  ウエブ、  ５４  拡幅部、  ５５  縮小部、  ５６  端面、  ５７  補強リブ、  ５８  ウエブ、  ５９  縁部条片、  ６０  縁部、  ６１  縁部面、  ６４  背面、  ６５  前面、  ６６  グリップリブ、  ６７，６８  側面、  ６９，７０  案内溝、  ７１，７２  横方向リブ（係止条片）、７３  挿入傾斜部、  ７４  係止面、  ７８  スリット、  ７９舌状板、  ７９ａ  端部、  ８０ａ，８０ｂ  枠
【図１】
0003964947.tif 000002
【図２】
0003964947.tif 000003
【図３】
0003964947.tif 000004
【図４】
0003964947.tif 000005
【図５】
0003964947.tif 000006